(57)【要約】【課題】太陽電池において反射される太陽光を低減し、太陽電池の発電効率を高くする。【解決手段】上記シリンドリカル状集光曲面群４により集光された光が、直線スリット状光透過孔群６から入射し、太陽電池素子の光電変換層２と光反射層５との間で多重反射されることにより、光電変換層２に照射される光量が増大し、発電効率を高くすることが可能となる。また、シリンドリカル状集光曲面群４により集光される光が、対応する直線スリット状光透過孔を通過するときの通過光量を調節できるように、集光素子３と直線スリット状光透過孔群６とが、相対的に移動可能に支持されている。【選択図】　図１
2004111453.tif 000002
【特許請求の範囲】
【請求項１】
光電変換層を有する太陽電池素子と、
集光領域を有する集光素子と、
光透過孔を有する光反射層とを有し、
該光反射層は、該集光領域により集光された光が該光透過孔を通過した後、該太陽電池素子に入射し、該太陽電池素子からの反射光が該光反射層により反射され、該太陽電池素子に再入射するように、該太陽電池素子と該集光素子との間に形成され、
該集光領域により集光される光が、対応する該光透過孔を通過するときの通過光量を調節できるように、上記集光素子と上記光反射層とが、相対的に移動可能に支持されていることを特徴とする太陽電池。
【請求項２】
請求項１に記載の太陽電池において、
上記集光領域が、シリンドリカル状集光曲面であり、上記光透過孔が直線スリット状光透過孔であり、該シリンドリカル状集光曲面の円筒軸の方向と、該直線スリット状光透過孔の延伸方向とが平行に配置されていることを特徴とする太陽電池。
【請求項３】
請求項１、または、請求項２に記載の太陽電池において、
少なくとも上記光透過孔を有する光反射層が形成された透明基板を上記集光素子と上記太陽電池素子との間に備え、該透明基板を移動可能としたことを特徴とする太陽電池。
【請求項４】
請求項３に記載の太陽電池において、
上記光反射層は、上記透明基板の光入射側に形成され、該透明基板が上記光電変換層の光電変換に寄与する波長の蛍光を発することを特徴とする太陽電池。
【請求項５】
請求項１、または、請求項２に記載の太陽電池において、
上記集光素子と上記太陽電池素子との間に、上記光透過孔を有する上記光反射層が設けられた透明基板が設置され、
該透明基板と該太陽電池素子とが透明接着剤により固定されており、かつ、該透明接着剤が、上記光電変換層の光電変換に寄与する波長の蛍光を発することを特徴とする太陽電池。
【請求項６】
請求項２に記載の太陽電池において、
上記シリンドリカル状集光曲面と上記光反射層との距離が、上記シリンドリカル状集光曲面の焦点距離よりも短くなされていることを特徴とする太陽電池。
【請求項７】
請求項２に記載の太陽電池において、
上記シリンドリカル状集光曲面の円筒軸方向を含み、かつ、集光素子に垂直な平面が、東西方向を向くように設置されていることを特徴とする太陽電池。
【請求項８】
請求項７に記載の太陽電池において、
上記シリンドリカル状集光曲面を有する集光素子と、上記直線スリット状光透過孔を有する反射層とが、相対的に南北方向に移動可能に支持されていることを特徴とする太陽電池。
【請求項９】
請求項８に記載の太陽電池において、
太陽電池の設置角度が、春分または秋分の南中時に、太陽電池に対する太陽光入射角度が０°となるように設置されていることを特徴とする太陽電池。
【発明の詳細な説明】
【０００１】
【発明の属する技術分野】
本発明は、太陽電池に関するものである。
【０００２】
【従来の技術】
従来の太陽電池は、図１７に示すように、ｐｎ接合による光電変換を行う多結晶Ｓｉ太陽電池（例えば、特許文献２参照）や、図１８に示すように、ｐｉｎ接合による光電変換を行う非晶質Ｓｉ太陽電池である（例えば、特許文献１参照）。また、図示しないが、単結晶Ｓｉ基板上に、ｐｎ接合を形成した単結晶Ｓｉ太陽電池がある。
【０００３】
図１７に示す多結晶Ｓｉ太陽電池においては、支持体を兼ねた基板１７１上に、光反射効果を有する電極金属層１７２、電極金属層１７２と多結晶Ｓｉ半導体層１７４との電気的接触を良好にするために設けたｎ型不純物およびｐ型不純物の一方を高濃度にドーピングした多結晶Ｓｉ半導体層１７３、多結晶Ｓｉ半導体層１７３と同じ伝導型不純物をわずかにドーピングした多結晶Ｓｉ半導体層１７４、多結晶Ｓｉ半導体層１７３、１７４と反対の伝導型不純物を高濃度にドーピングした多結晶Ｓｉ半導体層１７５、電流を取り出すための集電電極１７６、効率的に光を取り込むための反射防止層１７７とから構成されている。
【０００４】
また、図１８に示す非晶質Ｓｉ太陽電池においては、支持体を兼ねた基板１８１上に、光反射効果を有する電極金属層１８２、非晶質Ｓｉ半導体からなりｎ型不純物がドーピングされたｎ層１８３、非晶質Ｓｉ半導体からなり真性半導体であるｉ層１８４、非晶質Ｓｉ半導体からなりｐ型不純物がドーピングされたｐ層１８５、電流を取り出すための集電電極１８６、効率的に光を取り込むための反射防止層１８７とから構成されている。
【０００５】
また、発電効率を上げるため、図１７に示す多結晶半導体で構成したｐｎ接合と、図１８に示す非晶質半導体で構成したｐｉｎ接合とを積層したタンデム構造太陽電池が提案されている。
【０００６】
これらの太陽電池以外に、基板側から光を入射させる図１９に示すような太陽電池が提案されている。この太陽電池は、光入射側から順に、透明基板１９１、透明基板１９１上に、効率的に光を取り込むための反射防止層１９２、電流を取り出すための集電電極１９３、非晶質Ｓｉ半導体からなりｐ型不純物がドーピングされたｐ層１９４、非晶質Ｓｉ半導体からなり真性半導体であるｉ層１９５、非晶質Ｓｉ半導体からなりｎ型不純物がドーピングされたｎ層１９６、光反射効果を有する電極金属層１９７とから構成されている。
【０００７】
【特許文献１】
特開平５−４８１２７号公報　（１９９３年２月２６日公開）
【０００８】
【特許文献２】
特開平１１−２１４７１７号公報　（１９９９年８月６日公開）
【０００９】
【発明が解決しようとする課題】
ところが、上記従来の構成では、以下に記す種々の要因により、発電効率が低いという問題を有している。
【００１０】
第１の要因は、反射防止層１７７、１８７、１９２にある。すなわち、表面反射を極力抑えることを目的として、光入射面もしくは光入射面の近傍に導電性透明膜からなる反射防止層１７７、１８７、１９２を設けているが、表面反射を完全に零とすることは困難であり、入射光の一部が反射されるという問題が生じる。また、上記反射防止層１７７、１８７、１９２は、一般に、波長依存性を有しており、設計波長中心から光波長がずれることにより、表面反射が増大してしまうという問題も生じる。特に、比較的広い波長の光を光電変換に利用するタンデム構造太陽電池においては、その悪影響は、さらに大きなものとなる。
【００１１】
第２の要因は、集電電極１７６、１８６、１９３にある。すなわち、電流を取り出すため、光入射側に設けられた集電電極１７６、１８６、１９３は、入射光を完全に反射してしまうため、確実に発電効率の低下をもたらすことになる。
【００１２】
ところで、光を吸収して電荷を発生させ、発電を行う多結晶Ｓｉ半導体層１７４、非晶質Ｓｉ半導体層１８４、１９５は、入射した光を吸収するために十分な膜厚が必要なので、発電効率を上げる目的で、その膜厚を厚くすることが考えられる。しかし、半導体層の膜厚が、あまり厚くなると、電荷の走行距離が増大するため、外部に取り出すことのできる電流が減少するという問題が生じる。また、半導体層の膜厚増加は、製造時間の増加、及び、材料使用量の増加につながるため、コスト増加につながるという問題を生じる。
【００１３】
したがって、前述のような半導体層等を含む光電変換層の入射光吸収率を改善するためには、半導体層の膜厚自体を増加させることなく、光電変換層への入射光量を如何に増大させるかが、最大の課題であるといえる。これはまた、太陽光などの外部光を無駄なく利用することで、外部出力電流を減少させることなく、半導体層の膜厚を薄くできるようにするには、どうすればよいか、という課題に換言できる。
【００１４】
本発明は、上記問題点を解決するためになされたもので、その目的は、太陽電池からの表面反射による光損失を低減し、さらに、太陽光の中のより広範囲な波長の光を、有効に光電変換に利用して、高い発電効率を実現することが可能な太陽電池を提供することにある。
【００１５】
【課題を解決するための手段】
上記の課題を解決する本発明の太陽電池は以下のようなものである。
【００１６】
本発明に係る太陽電池は、上記の課題を解決するために、光電変換層を有する太陽電池素子と、集光領域を有する集光素子と、光透過孔を有する光反射層とを有し、該光反射層は、該集光領域により集光された光が該光透過孔を通過した後、該太陽電池素子に入射し、該太陽電池素子からの反射光が該光反射層により反射され、該太陽電池素子に再入射するように、該太陽電池素子と該集光素子との間に形成され、該集光領域により集光される光が、対応する該光透過孔を通過するときの通過光量を調節できるように、上記集光素子と上記光反射層とが、相対的に移動可能に支持されていることを特徴としている。
【００１７】
上記の構成により、集光素子に入射した光は、集光領域により集光され、光透過孔を透過して、太陽電池素子を照射する。この場合、集光領域と光透過孔とは、それぞれ複数設けてもよい。また、複数の集光領域のそれぞれの集光位置に１つないし複数の光透過孔を配置してもよい。
【００１８】
続いて、太陽電池素子を照射した光の一部は、光電変換層に吸収されるが、一部は太陽電池素子の表面または内部で反射され反射光となる。その一方で、該反射光の少なくとも一部は、光反射層における光透過孔以外の領域で反射され、太陽電池素子の方へ戻される。すなわち、太陽電池素子と反射層との間では、反射光が多重反射されることにより、光電変換層に照射される光量が増大するため、太陽電池の発電効率（光の利用効率）を高くすることが可能になっている。
【００１９】
さらに、該集光領域により集光される光が、該光透過孔を通過するときの通過光量を調節できるように、上記集光素子と上記光反射層とを、相対的に移動させることができるので、季節変化や時間変化に伴い太陽光等の光の入射角が変化した場合においても、集光領域により集光された光の位置を、光透過孔の位置に対して調節することが可能となる。
【００２０】
従って、光の入射角が変化した場合においても、光を効率良く光透過孔を通過させることが可能となり、季節変化や時間変化に係り無く、太陽電池の発電効率を高くすることができる。
【００２１】
本発明に係る太陽電池は、上記の課題を解決するために、上記の構成に加えて、上記集光領域が、シリンドリカル状集光曲面であり、上記光透過孔が直線スリット状光透過孔であり、該シリンドリカル状集光曲面の円筒軸の方向と、該直線スリット状光透過孔の延伸方向とが平行に配置されていることを特徴としている。
【００２２】
上記の構成において、集光領域により集光される光が、該光透過孔を通過するときの通過光量をできるだけ多くするためには、光透過孔を通過する光の断面形状が、光透過孔の形状と高い類似性を有していること、好ましくは光の断面面積が光透過孔の面積以内となることである。
【００２３】
上記の構成によれば、シリンドリカル状集光曲面は、線状の集光状態を作り出すので、光透過孔として、その延伸方向がシリンドリカル状集光曲面の円筒軸と平行に配置された直線スリット状光透過孔を採用することによって、線状に集光された光は直線スリット状光透過孔へと効率良く集光される。
【００２４】
この結果、該直線スリット状光透過孔から入射した光が、光電変換層と光反射層との間で多重反射し、光電変換層に照射される光量が一層増大し、発電効率を一層高くすることが可能となる。さらに、太陽光の入射角度が変化した場合においても、入射太陽光を効率的に光透過孔へと集光することが可能となる。
【００２５】
また、シリンドリカル状集光曲面は細長い集光領域をカバーすることができるので、その細長い集光領域を横に並べれば、大きな集光素子を作製することができる。すなわち、より短小な形状の集光領域と比較して、少ない数の集光領域で集光素子を構成することができるため、集光素子の構成を簡素化し、コストを下げることにも役立つ。このメリットは、光反射層の形成についても同様に当てはまる。
【００２６】
本発明に係る太陽電池は、上記の課題を解決するために、上記の構成に加えて、少なくとも上記光透過孔を有する光反射層が形成された透明基板を上記集光素子と上記太陽電池素子との間に備え、該透明基板を移動可能としたことを特徴としている。
【００２７】
上記の構成により、上記の効果に加えて、該集光素子と該太陽電池素子とを密閉固定して、それらの間に配置した該透明基板を移動させることが可能となり、太陽電池パネル内部への雨水や湿気の侵入を防ぎ、太陽電池パネルの劣化を防止することが可能となる。
【００２８】
ここで、上記透明基板を上記太陽電池に固定して、上記集光素子に対して、移動可能に配置することも可能である。ただし、この場合、該集光素子と該太陽電池素子とで密閉構造を形作ることができないため、カバー等を該集光素子に固定配置することにより、別形態の密閉構造を形成することが必要である。
【００２９】
従って、上記の構成は、密閉構造の簡素化というメリットを有している。
【００３０】
本発明に係る太陽電池は、上記の課題を解決するために、上記の構成に加えて、上記光反射層が、上記透明基板の光入射側に形成され、該透明基板が上記光電変換層の光電変換に寄与する波長の蛍光を発することを特徴としている。
【００３１】
上記の構成により、上記の効果に加えて、上記透明基板が、上記光電変換層の光電変換に寄与しない波長の光を吸収し、上記光電変換層の光電変換に寄与する波長の光を蛍光として発生することにより、発生した蛍光は直接、あるいは一旦反射層で反射された後、上記光電変換層に照射される。
【００３２】
従って、光電変換に寄与する波長の光の光量が増大するので、太陽電池の発電効率を一層高くすることが可能となる。
【００３３】
本発明に係る太陽電池は、上記の課題を解決するために、上記の構成に加えて、上記集光素子と上記太陽電池素子との間に、上記光透過孔を有する上記光反射層が設けられた透明基板が設置され、該透明基板と該太陽電池素子とが透明接着剤により固定されており、かつ、該透明接着剤が、上記光電変換層の光電変換に寄与する波長の蛍光を発することを特徴としている。
【００３４】
上記の構成により、上記の効果に加えて、上記集光素子と上記透明基板と上記太陽電池素子とを、それぞれ、独立して形成することが可能である。これにより、製造プロセスにおいて発生する傷等の損傷が抑制され、高い発電効率を有する太陽電池を安定して製造することができる。
【００３５】
例えば、集光素子の集光領域に対向する面に、光透過孔を有する光反射層を設けると、光反射層を形成する際に、該集光領域に傷等の損傷を発生することになる。該集光領域は、太陽光の集光性能を決定するものであり、集光領域が損傷することにより、集光性能が大幅に劣化し、発電効率の低下を招くことになる。
【００３６】
また、太陽電池素子の光電変換層に対向する面は、光電変換層を形成する際に、傷等の損傷が発生しており、この損傷が存在する面に、光透過孔を設けることにより、集光された太陽光が、傷等の損傷により散乱され、発電効率の低下を招くことになる。
【００３７】
また、上記の構成により、上記の効果に加えて、上記透明基板と上記太陽電池素子とが、あらかじめ、接着固定されていることにより、上記透明基板および上記太陽電池素子の機械的強度が高められ、製造プロセスにおいて、破損等による歩留まり低下を抑制することが可能であるとともに、太陽電池の薄型化を実現することができる。
【００３８】
また、上記の構成により、上記の効果に加えて、上記透明接着剤が、上記光電変換層の光電変換に寄与しない波長の光を吸収し、上記光電変換層の光電変換に寄与する波長の光を蛍光として発生することにより、発生した蛍光は直接、あるいは一旦反射層で反射された後、上記光電変換層に照射される。
【００３９】
従って、光電変換に寄与する波長の光の光量が増大し、太陽電池の発電効率を一層高くすることが可能となる。
【００４０】
本発明に係る太陽電池は、上記の課題を解決するために、上記構成に加えて、上記シリンドリカル状集光曲面と上記光反射層との距離が、上記シリンドリカル状集光曲面の焦点距離よりも短くなされていることを特徴としている。
【００４１】
上記の構成において、太陽電池を野外に設置した場合、太陽電池に入射する太陽光線の入射角度には、季節変動が伴う。この季節変動による発電効率の低下を抑制することが、本構成の狙いである。
【００４２】
ここで、シリンドリカル状集光曲面を、凸面を上側にして水平面に置いた状態を考え、さらにシリンドリカル状集光曲面を円筒面の一部とする円筒を考える。この状態で、シリンドリカル状集光曲面の真上から入射する光線と上記円筒の中心線（円筒軸）とを含む垂直面を、該中心線の周りに回転させる回転方向のことを、シリンドリカル状集光曲面に対する「横方向」と定義する。
【００４３】
シリンドリカル状集光曲面の真上から入射する光線が、横方向に傾いた状態でシリンドリカル状集光曲面に入射すると、コマ収差の発生により、シリンドリカル状集光曲面の側部に入射した光の集光位置が、シリンドリカル状集光曲面の頂部に入射した光の集光焦点位置よりも、シリンドリカル状集光曲面に近い位置となる。すなわち、光の入射位置により集光位置が異なるため集光状態が劣化する。
【００４４】
従って、上記光反射層を上記シリンドリカル状集光素子の焦点距離に対応する位置に配置した場合、シリンドリカル状集光曲面の頂部に入射した光は、直線スリット状光透過孔を通過するが、シリンドリカル状集光曲面の側部に入射した光は、直線スリット状光透過孔を通過しづらくなるので、その分、発電効率を低下させることになる。
【００４５】
これに対して、上記シリンドリカル状集光曲面と上記光反射層との距離が、上記シリンドリカル状集光曲面の焦点距離よりも短くなるように、該シリンドリカル状集光曲面と該光反射層とを配置することにより、光反射層に形成された直線スリット状光透過孔の位置とシリンドリカル状集光曲面の側部に入射した光の集光位置とが接近する。この結果、シリンドリカル状集光曲面の側部に入射した光は、直線スリット状光透過孔を通過し易くなる。シリンドリカル状集光曲面の頂部に入射した光は、光反射層の位置が光軸方向に変化しても、変わりなく直線スリット状光透過孔を通過する。
【００４６】
これにより、シリンドリカル状集光曲面の頂部に入射した光と、側部に入射した光とを、効率良く直線スリット状光透過孔へと集光することが可能となり、太陽光等の光の入射角度が変化した場合においても高い発電効率を得ることが可能となる。
【００４７】
なお、本発明に記載した構成を、前記発明に記載した各構成と、必要に応じて任意に組み合わせてもよい。
【００４８】
本発明に係る太陽電池は、上記の課題を解決するために、上記の構成に加えて、上記シリンドリカル状集光曲面の円筒軸方向を含み、かつ、集光素子に垂直な平面が、東西方向を向くように設置されていることを特徴としている。
【００４９】
上記の構成により、朝方および夕方において、太陽光が東西方向の斜め上からシリンドリカル状集光曲面に入射する場合において、光軸を含みかつ円筒軸を含む平面と、集光素子が設けられた平面とが成す角度を常に一定とすることができ、シリンドリカル状集光曲面により直線状に集光される光は、常に、光軸を含みかつ円筒軸を含む平面上に集光されることになる。
【００５０】
また、前述の構成によれば、シリンドリカル状集光曲面の円筒軸の方向と、該直線スリット状光透過孔の延伸方向とが平行に配置されているから、上記直線スリット状光透過孔は、光軸を含みかつ円筒軸を含む平面上に配置されている。
【００５１】
従って、１日の太陽光の入射角度変化に対応して、該シリンドリカル状集光曲面と該直線スリット状光透過孔とを相対的に移動させることなく、太陽光を効率良く直線スリット状光透過孔へと集光することが可能となる。
【００５２】
なお、本発明に記載した構成を、前記発明に記載した各構成と、必要に応じて任意に組み合わせてもよい。
【００５３】
本発明に係る太陽電池は、上記の課題を解決するために、上記の構成に加えて、上記シリンドリカル状集光曲面を有する集光素子と、上記直線スリット状光透過孔を有する光反射層とが、相対的に南北方向に移動可能に支持されていることを特徴としている。
【００５４】
上記の構成によれば、上記の効果に加えて、季節変化に伴い、地軸の傾きに起因して発生する太陽光の入射角度の変化に対応して、シリンドリカル状集光曲面と直線スリット状光透過孔とを相対的に移動させることにより、太陽光を効率良く直線スリット状光透過孔へと集光することが可能となり、すべての季節において、高い発電効率を得ることができる。
【００５５】
なお、本発明に記載した構成を、前記発明に記載した各構成と、必要に応じて任意に組み合わせてもよい。
【００５６】
本発明に係る太陽電池は、上記の課題を解決するために、上記の構成に加えて、太陽電池の設置角度が、春分または秋分の南中時に、太陽電池に対する太陽光入射角度が０°となるように設置されていることを特徴としている。
【００５７】
本発明の太陽電池の設置角度を、例えば夏至の南中時に、太陽電池に対する入射角度が０°となるように設置した場合、冬至の南中時には、入射角度が地軸傾きの２倍の大きさ（４６．８°）となり、入射角度増大に伴うコマ収差増大により集光特性が劣化し、冬場の発電効率が低下してしまう。
【００５８】
これに対して、上記の構成によれば、本発明の太陽電池への太陽光入射角度が最大となる夏至および冬至において、太陽光入射角度を地軸傾きと同じ大きさ（±２３．４°）とすることが可能であり、入射角度がそれ以上増大することがない。従って、季節変化にともなう入射角度変化の低減によりコマ収差が抑制され、季節変化にともなう発電効率の変化を低減することが可能となる。
【００５９】
なお、本発明に記載した構成を、前記発明に記載した各構成と、必要に応じて任意に組み合わせてもよい。
【００６０】
【発明の実施の形態】
以下、本発明の太陽電池を図面を参照しながら詳細に説明する。
【００６１】
（本願発明の前提となる構成例）
図２０は、特願２００１−２９６４０９号（本願出願前の確認時点において未公開）において、我々が出願した太陽電池の断面斜視図を示している。該太陽電池は、支持体を兼ねた基板１上に光電変換層２を設けた太陽電池素子と、シリンドリカル状集光曲面群４と直線スリット状光透過孔群６を有する光反射層５とが設けられた集光素子３とで構成されている。
【００６２】
図２０に示す太陽電池は、集光素子３の光入射側の面に、シリンドリカル状集光曲面群４が形成され、集光素子３の光出射側の面に、光反射層５が形成されている。
【００６３】
該シリンドリカル状集光曲面群４は、各シリンドリカル状集光曲面の凸面が光入射側を向き、複数のシリンドリカル状集光曲面が、それぞれの円筒軸を平行にして並列されている。また、該直線スリット状光透過孔群６は、個々の該シリンドリカル状集光曲面に対応した直線スリット状光透過孔で構成されている。さらに、シリンドリカル状集光曲面で直線状に集光された光が、直線スリット状光透過孔を最も効率良く通過するようにとの観点で、該シリンドリカル状集光曲面の円筒軸の方向と、該直線スリット状光透過孔の延伸方向とが平行になるように配置されている。
【００６４】
ここで、図２０では、該シリンドリカル状集光曲面に対して、真上から入射する光の光軸上であって、その光が集光される位置に、対応する直線スリット状光透過孔が配置されている。
【００６５】
シリンドリカル状集光曲面群４に垂直に入射する入射光７は、シリンドリカル状集光曲面群４により、直線スリット状光透過孔群６に線状に集光され、太陽電池素子の光電変換層２へと照射される。光電変換層２からの反射光は、集光素子３に設けられた光反射層５によって反射され、再度、太陽電池素子の光電変換層２へと入射する。このように、直線スリット状光透過孔群６から入射した光が、太陽電池素子と光反射層５との間で多重反射する、すなわち太陽電池素子での吸収と一部反射とを繰り返すことにより、太陽電池素子の発電効率を高めることが可能となる。
【００６６】
従って、上記光反射層５としては、少なくとも、光電変換層２からの反射光を、直線スリット状光透過孔群６以外の領域で、反射することが可能であれば良く、光電変換層２に対向する面が、光を反射することが可能な光反射層５であればよい。
【００６７】
一方、光反射層５の光入射側の面、すなわち、シリンドリカル状集光曲面群４に対向する面においては、光反射機能を有しても、光吸収機能を有してもかまわない。しかし、光吸収機能を持たせるためには、光吸収機能を有する層を付加する必要があるため、コストアップにつながる。従って、光反射性を有する材料のみで光反射層５を形成した構成、すなわち、該光反射層５の光入射側の面も、光反射機能を有していることが望ましい。
【００６８】
また、ここでは、集光領域を有する集光素子として、シリンドリカル状集光曲面を用いて説明したが、直線スリット状光透過孔群６に光を集光する機能を有しておれば良く、これに限られるものではない。例えば、図２０においては、常に曲率半径の等しいシリンドリカル状集光曲面が並列配置された集光素子について示しているが、シリンドリカル状集光曲面の頂部から側部にかけて、徐々に曲率半径が小さくなるようなシリンドリカル状集光曲面を用いることにより、側部において発生するコマ収差を低減することが可能となり、入射角増大による発電効率の低下を抑制することが可能となる。
【００６９】
また、個々の集光領域をフレネル集光素子により構成することによっても、直線スリット状光透過孔群６に光を集光することが可能である。この場合、凹凸段差の少ないフレネル集光素子を用いることにより、集光素子を薄くすることが可能となり、太陽電池の薄型化を実現することができる。
【００７０】
また、光電変換層２としては、従来技術において述べたような多結晶Ｓｉ太陽電池、非晶質Ｓｉ太陽電池、タンデム構造の太陽電池等の光電変換層を用いることが可能である。
【００７１】
しかしながら、鋭意検討を進めた結果、上記太陽電池においては、時間や季節により太陽光の入射角度が変化した場合、シリンドリカル状集光曲面群４により線状に集光される太陽光の一部または全部が、直線スリット状光透過孔群６を通過しなくなることが明らかとなった。
【００７２】
すなわち、図２０に示すように、入射光７が、シリンドリカル状集光曲面群４の横方向９の斜め上から入射角Ｒで入射する場合、光軸が傾くため、発電効率が著しく低下することが確認された。これは、集光された入射光７が、直線スリット状光透過孔群６を通過せず、光反射層５上に集光され、光反射層５により反射されるからであり、太陽電池の光電変換層２に太陽光が照射されなくなるからである。
【００７３】
ここで、本明細書においては、図２０に示す太陽電池のように、シリンドリカル状集光曲面群４の長軸方向を縦方向８と呼び、縦方向８と直交する方向、すなわち、シリンドリカル状集光曲面群４が並んでいる方向を横方向９と呼ぶこととする。
【００７４】
図２１は、空気の屈折率ｎ１を１．０とし、集光素子３の屈折率ｎ２を１．５とし、曲率半径１０ｍｍのシリンドリカル状集光曲面群４が、一列あたりの幅が１２ｍｍで並んでいる場合について、太陽光の集光状態の計算を行った結果である。なお、図中の数値目盛りの単位はｍｍである。
【００７５】
集光素子３と光電変換層２との間の屈折率が集光素子３の屈折率ｎ２と異なる場合、直線スリット状光透過孔群６を透過した光は、屈折することになるが、直線スリット状光透過孔群６を透過した光は、全て発電に寄与することになるため、問題とする必要は無い。そこで、ここでは、集光素子３と光電変換層２との間の屈折率が集光素子３の屈折率ｎ２と等しいとして計算を行った。
【００７６】
図２１（ａ）は、上記太陽電池のシリンドリカル状集光曲面群４に対して、入射光７が垂直入射（Ｒ＝０°）した場合の集光状態を計算した結果を示し、図２１（ｂ）は、横方向９の斜め上から入射角度（Ｒ＝２３．４°）で入射光７が入射した際の集光状態を計算した結果を示している。
【００７７】
入射光７が垂直入射する図２１（ａ）の場合、入射光７は、全て直線スリット状光透過孔群６に集光されるのに対して、入射光７が横方向９の斜め上から入射する図２１（ｂ）の場合、入射光７は、横方向９に沿って集光位置がシフトする。このため、入射光７は光反射層５の上に集光され、光反射層５に反射されることにより、すべての入射光７が反射されることがわかる。
【００７８】
（本発明の構成例）
本発明は、上記問題点を解決し、季節や時間により太陽光の入射角度が変化した場合においても、効率良く光透過孔群に太陽光を集光し、高い発電効率を実現するものである。本発明の太陽電池の構成について図１ないし図２に基づいて説明すれば、以下のとおりである。
【００７９】
本発明の太陽電池は、図１及び図２に示すように、支持体を兼ねた基板１上に光電変換層２を設けた太陽電池素子と、シリンドリカル状集光曲面群４を有する集光素子３と、太陽電池素子と集光素子３との間に設けられ、直線スリット状光透過孔群６を有する光反射層５が設けられた第１透明基板１０とで構成されている。
【００８０】
さらに、本発明の重要な特徴点として、入射光７の入射角度に対応して、集光素子３と第１透明基板１０とが、横方向９に相対的に移動可能に支持されている。すなわち、シリンドリカル状集光曲面群４と直線スリット状光透過孔群６とが、相対的に移動可能に支持されている。これにより、集光素子３により集光される入射光７が、対応する直線スリット状光透過孔を通過するときの通過光量を調節することができる。
【００８１】
なお、移動可能な支持機構及び駆動機構については後述する。また、第１透明基板１０以外の構成は、図２０で説明した構成と基本的に同じである。
【００８２】
例えば、入射光７が垂直真上から入射する場合、図１に示すように、入射光７がシリンドリカル状集光曲面群４により線状に集光される位置に、直線スリット状光透過孔群６が配置され、入射光７が横方向９の斜め上から入射角Ｒで入射する場合、図２に示すように、入射光７の光軸移動に伴い、線状に集光される位置が横方向９に沿って移動するため、この集光位置の移動に対応して、直線スリット状光透過孔群６を横方向９に沿って移動させる。
【００８３】
このように、横方向９の斜め上から入射する入射光７の入射角Ｒに対応して、集光素子３と第１透明基板１０とを相対的に移動させ、入射光７の線状集光位置と、直線スリット状光透過孔群６の位置とを一致させる。これにより、太陽光の入射角度が変化した場合においても、効率良く直線スリット状光透過孔群６に集光されるように、直線スリット状光透過孔群６を通過した入射光７が光電変換層２へと照射される。そして、光電変換層２からの反射光は、第１透明基板１０に設けられた光反射層５で反射され、再度、光電変換層２へと入射する。
【００８４】
このように、直線スリット状光透過孔群６に集光された光が、光電変換層２と光反射層５との間で多重反射することにより、太陽電池素子の発電効率を高めることが可能となる。結局、本発明の太陽電池は、太陽光の入射角度の変動によらず、従来よりも高い発電効率を維持することができる。
【００８５】
なお、光電変換層２と光反射層５との間での多重反射を実現するためには、該光反射層５は、少なくとも、光電変換層２に対向する面が光反射機能を有することが必要である。
【００８６】
上記光電変換層２としては、従来技術において述べたような多結晶Ｓｉ太陽電池、非晶質Ｓｉ太陽電池、タンデム構造の太陽電池等の光電変換層を用いることが可能である。また、他に、単結晶Ｓｉ太陽電池や、ＣｕＩｎＳｅ２、Ｃｕ（Ｉｎ，Ｇａ）（Ｓ，Ｓｅ）２、ＣｕＧａＳｅ２などのＣＩＳ系太陽電池等に用いられている光電変換層を用いることも可能である。
【００８７】
次に、本発明の太陽電池の設置方法について、図３ないし図４に基づいて説明すれば、以下のとおりである。
【００８８】
太陽光を光源とする太陽電池においては、太陽光の入射角度によらず、効率の良い発電を行う必要がある。例えば、図３に示すように、朝８時には、太陽光は東斜め上から太陽電池へと入射し、正午１２時には、太陽光は垂直上方から太陽電池へと入射し、夕方１６時には、太陽光は西斜め上から太陽電池へと入射する。効率の良い発電を行うためには、このように入射角度が日内変化する太陽光を、シリンドリカル状集光曲面群４で集光し、効率良く、直線スリット状光透過孔群６へと入射させることが必要となる。
【００８９】
また、２３．４°の地軸の傾きが存在するため、季節によっても、太陽光の入射角が変化する。例えば、春分及び秋分の日の南中時に太陽光が垂直入射するように、本発明の太陽電池を設置すると、夏至や冬至の日の南中時には、太陽光が入射角±２３．４°で入射することになる。
【００９０】
ここで、図２に示すように、シリンドリカル状集光曲面群４の横方向９の斜め上から入射角Ｒで入射光７が入射する場合、光軸を含みかつ円筒軸を含む平面も入射角Ｒに対応して傾くため、シリンドリカル状集光曲面群４により線状に集光される位置は、横方向９に沿って移動する。本発明の太陽電池は、上記集光位置の移動に対応して、直線スリット状光透過孔群６の位置を横方向９に沿って移動させるものである。
【００９１】
一方、図４に示すように、シリンドリカル状集光曲面群４の縦方向８の斜め上から入射角Ｑで入射光７が入射する場合、光軸を含みかつ円筒軸を含む平面の傾きは、入射角Ｑに依存せず一定であり、シリンドリカル状集光曲面群４により線状に集光される位置は該平面上に存在する。そのため、直線スリット状光透過孔群６の位置を移動しなくても、入射光７が直線スリット状光透過孔群６へと集光され、高い発電効率を維持することが可能である。
【００９２】
従って、本発明の太陽電池は、図３に示すように、集光素子３のシリンドリカル状集光曲面群４を、該シリンドリカル状集光曲面群４の縦方向８が、太陽の日周運動の進行方向、すなわち、東西方向と一致するように設置する。すなわち、シリンドリカル状集光曲面の円筒軸方向を含み、かつ、集光素子３に垂直な平面が、東西方向を向くように設置する。これにより、太陽光が斜め上から入射する朝方および夕方においても、高い発電効率を実現することが可能である。
【００９３】
そして、本発明の太陽電池の横方向９を南北方向と一致するように配置し、季節変化にともなう入射光７の入射角Ｒの変動に対応して、シリンドリカル状集光曲面群４と直線スリット状光透過孔群６とを相対移動させることにより、全ての季節において高い発電効率を維持することが可能な太陽電池を実現することができる。
【００９４】
ここでは、本発明の太陽電池の縦方向８を東西方向に一致させ、シリンドリカル状集光曲面群４と直線スリット状光透過孔群６とを相対的に南北方向に移動させる構成について説明したが、本発明の太陽電池の縦方向８を南北方向に一致させ、シリンドリカル状集光曲面群４と直線スリット状光透過孔群６とを相対的に東西方向に移動させることも可能である。
【００９５】
しかしながら、縦方向８を東西方向に一致させた場合、横方向９に対する入射角Ｒが季節変化することになり、その場合の入射角Ｒの最大値は、地軸の傾きにより決定され、最大でも２３．４°である。従って、シリンドリカル状集光曲面群４と直線スリット状光透過孔群６とを相対的に南北方向に、季節に応じてわずかに移動させることにより、良好な集光状態を得ることが可能である。
【００９６】
これに対して、縦方向８を南北方向に一致させた場合、横方向９に対する入射角Ｒが日内変化することになるため、一日の太陽光の入射角度の変化に対応して、シリンドリカル状集光曲面群４と直線スリット状光透過孔群６とを相対的に東西方向へと移動させることが必要である。この場合、太陽光の入射角度は、±９０°の範囲で変化するため、シリンドリカル状集光曲面群４と直線スリット状光透過孔群６との相対移動量をより大きくすることが必要となる。しかも、往復移動させる周期も日単位となるため、移動機構にかかる負荷および消費電力の増大を招来する。
【００９７】
さらに、入射光７の横方向９に対する入射角Ｒが大きくなると、シリンドリカル状集光曲面群４により集光される光に、コマ収差が発生し、良好な集光状態が得られなくなり、直線スリット状光透過孔群６を通過する太陽光が減少し、発電効率が低下するという問題が発生する。従って、本発明の太陽電池においては、縦方向８を東西方向に一致させ、シリンドリカル状集光曲面群４と直線スリット状光透過孔群６とを相対的に南北方向に移動させる構成とすることが望ましい。
【００９８】
さらに、本発明の太陽電池の設置方法として、春分の日もしくは秋分の日の南中時に、入射光７が、太陽電池に対して、入射角Ｑ，Ｒ共に０°で垂直入射するように設置されていることが望ましい。シリンドリカル状集光曲面群４に対して、横方向９の斜め上から光が入射するとコマ収差が発生し、集光特性が劣化し、全ての入射光７を直線スリット状光透過孔群６へと集光することが困難となる。春分の日もしくは秋分の日の南中時に、入射角が０°となるように、本発明の太陽電池を設置することにより、入射光７の入射角Ｒが最も大きくなる夏至もしくは冬至の南中時においても、入射光７の入射角Ｒは、地軸の角度に対応する±２３．４°の傾きとなり、これ以上の入射角とはならないことになる。
【００９９】
一方、例えば、夏至の南中時に、入射角Ｑ，Ｒが０°となるように本発明の太陽電池を設置すると、冬至の南中時には、入射角Ｒが４６．８°となり、コマ収差増大にともなう集光特性の劣化により、冬場の発電効率が低下してしまうことになる。
【０１００】
次に、本発明の太陽電池の縦方向８を東西方向に一致させて配置した場合について、冬至、春分及び秋分の日、夏至の南中時における太陽光の集光状態を計算した結果を、図５（ａ）、（ｂ）、（ｃ）に示している。なお、図５（ａ）、（ｂ）、（ｃ）に記された数値は、シリンドリカル状集光曲面の中央を原点としたときの原点からの距離（単位ｍｍ）を示している。
【０１０１】
春分及び秋分の日に、図５（ｂ）に示すように、太陽光の入射角Ｒが０°となるように太陽電池を設置した場合、冬至においては、図５（ａ）に示すように、太陽光の入射角Ｒが−２３．４°となり、夏至においては、図５（ｃ）に示すように、太陽光の入射角Ｒが２３．４°となる。
【０１０２】
ここで、集光状態の計算は、空気の屈折率ｎ１を１．０とし、集光素子３と第１透明基板１０の屈折率ｎ２を１．５とし、曲率半径１０ｍｍのシリンドリカル状集光曲面群４が、幅１２ｍｍの間隔で並んでいる場合について行った。集光素子３と第１透明基板１０との間の屈折率は集光素子３の屈折率ｎ２と異なっており、集光素子３から第１透明基板１０へと集光される太陽光は、屈折することになるが、ここでは、集光素子３と第１透明基板１０との間隙が小さいものとして、上記屈折による光路の変化は無視して計算を行った。また、直線スリット状光透過孔群６を有する光反射層５と、シリンドリカル状集光曲面群４との距離が、図５（ｂ）に示すように、シリンドリカル状集光曲面群４の焦点距離Ｆと等しくなる位置に配置されている場合について計算を行っている。
【０１０３】
入射角Ｒが０°である図５（ｂ）において、全ての入射光は直線スリット状光透過孔群６へと集光され、高い発電効率を実現することが可能である。また、入射角Ｒが−２３．４°および２３．４°である図５（ａ）、（ｃ）においても、シリンドリカル状集光曲面群４と直線スリット状光透過孔群６とを相対移動させることにより、ほとんどの入射光が、直線スリット状光透過孔群６へと集光され、高い発電効率を実現することが可能であることがわかる。
【０１０４】
しかしながら、図５（ａ）、（ｃ）においては、シリンドリカル状集光曲面群４に対して、横方向９の斜め上から太陽光が入射するため、コマ収差が発生し、集光特性が劣化しており、全ての入射光を直線スリット状光透過孔群６に集光させるためには、直線スリット状光透過孔群６の幅を広くすることが必要となる。一方、直線スリット状光透過孔群６の幅が広過ぎると、太陽電池素子と光反射層５との間で多重反射すべき太陽光が、直線スリット状光透過孔群６から放出されるため、発電効率が低下することになる。
【０１０５】
これに対して、図６（ａ）、（ｂ）、（ｃ）は、それぞれ、シリンドリカル状集光曲面群４と光反射層５との距離ｄ（図６（ａ）参照）が、図６（ｂ）に示すように、シリンドリカル状集光曲面群４の焦点距離Ｆより小さくなる位置に、直線スリット状光透過孔群６を有する光反射層５を設けた場合の集光状態を示している。
【０１０６】
直線スリット状光透過孔の幅は、図５の場合と同一であるが、図６（ｂ）に示すように、直線スリット状光透過孔群６の光軸上位置は、入射光の集光位置と一致していないが、全ての入射光を直線スリット状光透過孔群６を透過させた後、集光することが可能である。また、図６（ａ）、（ｃ）においては、図５と同様にコマ収差が発生し、集光特性が劣化しているにもかかわらず、全ての入射光を直線スリット状光透過孔群６を透過させた後、集光することが可能であることがわかる。
【０１０７】
このように、本発明の太陽電池においては、シリンドリカル状集光曲面群４と光反射層５との距離ｄが、シリンドリカル状集光曲面群４の焦点距離Ｆより小さくなる位置に、直線スリット状光透過孔群６を有する光反射層５を設けたので、光反射層５と光電変換層２との間に導入される光量を増大させることができる。しかも、シリンドリカル状集光曲面群４と直線スリット状光透過孔群６とを相対的に移動可能に支持する構成としたので、太陽光が斜めから入射する場合においても、すなわち季節によらず、直線スリット状光透過孔群６への高い集光効率を実現し、発電効率を高くすることが可能となる。
【０１０８】
【実施例】
〔実施例１〕
本発明の実施例１として、図１に示す構成の太陽電池を作製した。
【０１０９】
基板１と光電変換層２とからなる太陽電池素子は、図７に示すように、支持体を兼ねたステンレス製の基板１上に、光反射効果を有する膜厚１００ｎｍのＡｌ０．９５Ｔｉ０．０５合金からなる電極金属層１１をスパッタリングにより形成した後、電極金属層１１と半導体層との電気的接触を良好にするために設けたｎ型の不純物を高濃度にドーピングした多結晶Ｓｉ半導体層１２、多結晶Ｓｉ半導体層１２と同じｎ型の不純物をわずかにドーピングした多結晶Ｓｉ半導体層１３、多結晶Ｓｉ半導体層１２、１３と反対のｐ型の不純物を高濃度にドーピングした多結晶Ｓｉ半導体層１４をプラズマＣＶＤ装置により順次形成した。
【０１１０】
多結晶Ｓｉ半導体層１２は、基板温度２５０℃の条件で、ＳｉＨ４ガス、Ｈ２ガス、ＰＨ３ガスの混合比を最適化した混合ガスをＣＶＤ装置に導入し、ガス圧２０Ｐａとして、１００Ｗの高周波電力を投入することにより形成した。こうして、電極金属層１１上には、Ｐが高濃度にドープされた膜厚３０ｎｍの多結晶Ｓｉ半導体層１２を堆積した。
【０１１１】
次に、多結晶Ｓｉ半導体層１３は、基板温度５５０℃の条件で、ＳｉＨ４ガス、Ｈ２ガス、ＰＨ３ガスの混合比を最適化した混合ガスをＣＶＤ装置に導入し、ガス圧５０Ｐａとして、３５０Ｗの高周波電力を投入することにより形成した。こうして、多結晶Ｓｉ半導体層１２上には、Ｐがわずかにドーピングされた膜厚３００ｎｍの多結晶Ｓｉ半導体層１３を堆積した。
【０１１２】
従来の太陽電池においては、多結晶Ｓｉ半導体層１３は、光を吸収し、電荷を発生させ、発電を行う層であり、十分に光を吸収させるため、通常その厚さが５０００ｎｍ以上５００００ｎｍ以下に設定される。これに対し、本発明においては、直線状スリット状光透過孔群６からの入射光が、光電変換層２と光反射層５との間で多重反射するため、効率的に光を吸収させることができるので、多結晶Ｓｉ半導体層１３を薄くすることが可能である。すなわち、その膜厚を１００ｎｍ以上３０００ｎｍ以下と薄い場合においても高い発電効率を得ることができる。従って、多結晶Ｓｉ半導体層１３の形成時間を大幅に短縮することが可能となり、太陽電池の低コスト化を実現することができる。
【０１１３】
次に、多結晶Ｓｉ半導体層１４は、基板温度３５０℃の条件で、ＳｉＨ４ガス、Ｈ２ガス、ＢＦ３ガスの混合比を最適化した混合ガスをＣＶＤ装置に導入し、ガス圧５０Ｐａとして、１００Ｗの高周波電力を投入することにより形成した。こうして、多結晶Ｓｉ半導体層１３上には、Ｂがドーピングされた膜厚１５ｎｍのｐ型の多結晶Ｓｉ半導体層１４を堆積した。
【０１１４】
次に、多結晶Ｓｉ半導体層１２〜１４で構成されるｐｎ接合を形成した基板１をスパッタリング装置に取り付け、くし型集電電極１５の形状に対応した遮蔽マスクを基板１の多結晶Ｓｉ半導体層１４の表面に装着した状態で、ＡｌＴｉ合金ターゲットを用いて膜厚１００ｎｍのＡｌ０．９５Ｔｉ０．０５合金膜からなる幅０．１ｍｍ、間隔５ｍｍのくし型集電電極１５を形成した。
【０１１５】
最後に、Ｉｎ２Ｏ３ターゲットを用い、酸素雰囲気中で反応性スパッタリングを行うことにより、多結晶Ｓｉ半導体層１４及びくし型集電電極１５上に、膜厚６５ｎｍの導電性透明膜１６を形成した。
【０１１６】
一方、図１に示す集光素子３としては、板厚２６ｍｍのポリカーボネート樹脂製の集光素子を、射出成形法により作製した。集光曲面群としては、曲率半径１０ｍｍのシリンドリカル状集光曲面群４が、幅１２ｍｍの間隔で並んだ構成とし、その焦点距離Ｆは２８ｍｍであった。
【０１１７】
次に、図１に示す第１透明基板１０として、板厚１０ｍｍのポリカーボネート樹脂製の基板上に、直線スリット状光透過孔群６に対応した遮蔽マスクを装着し、ＡｌＴｉ合金ターゲットを用いたスパッタリングにより、膜厚１００ｎｍのＡｌ０．９５Ｔｉ０．０５合金膜を成膜し、第１透明基板１０上に、１２ｍｍ間隔で直線スリット状光透過孔群６が設けられた光反射層５を形成した。なお、直線スリット状光透過孔群６およびシリンドリカル状集光曲面群４の繰り返しピッチを等しくしている。
【０１１８】
該直線スリット状光透過孔群６のスリット幅ＷＳは、シリンドリカル状集光曲面群４の１列あたりの幅Ｗの１／６の幅（ＷＳ＝２ｍｍ）とした。ここで、上記スリット幅ＷＳは、（Ｗ／８）以上、（２Ｗ／３）以下とすることが望ましい。
【０１１９】
本発明の太陽電池においては、シリンドリカル状集光曲面群４と直線スリット状光透過孔群６とを相対的に移動させて、太陽光が斜め上から入射した場合においても、高い発電効率が得られる構成となっているが、太陽光の入射角が大きくなった場合、コマ収差が発生することにより、良好な集光状態が得られなくなる。
【０１２０】
ここで、ＷＳが（Ｗ／８）より狭くなると、太陽光の入射角が大きくなる季節（例えば夏至や冬至の日）に、集光状態が悪くなることにより、直線スリット状光透過孔群６に入射しなくなる太陽光の割合が高くなり、発電効率の低下を招くことになる。また、ＷＳが（２Ｗ／３）より広くなると、光電変換層２と光反射層５との間で多重反射すべき光が、直線スリット状光透過孔群６から放出され、入射光の利用効率が低下し、発電効率が低下することになる。
【０１２１】
以上のようにして作製した上記基板１と上記光電変換層２とからなる太陽電池素子１７と、第１透明基板１０と、集光素子３とを、それぞれ、図８及び図９に示すように配置し、太陽電池パネルとした。図８は、本発明の太陽電池パネルの断面図を示しており、図９は、本発明の太陽電池パネルの平面図を示している。
【０１２２】
なお、図９において、集光素子３のシリンドリカル状集光曲面群４および直線スリット状光透過孔群６は、それらの伸長方向（図１の縦方向８）が、紙面上下方向、すなわち第１透明基板１０の移動方向に垂直となるように配置した。
【０１２３】
太陽電池素子１７は、太陽電池パネルの台座１８に固定配置され、第１透明基板１０は、台座１８に設けられた６個のベアリング２２を介して、台座１８に対して、図１に示す横方向９に沿って移動可能に支持されており、集光素子３は、台座１８に立設された固定支持部２１に固定配置され、台座１８の上面全体を覆っている。ここでは、６個のベアリング２２を用いた例を示しているが、これに限られず、４個または８個のベアリングを用いることも可能である。
【０１２４】
また、第１透明基板１０の片方の端面は、台座１８に固定されたバネ支持部１９に対して、バネ２０を介して固定されており、第１透明基板１０の他方の端面が、回転駆動モータ２３に対して偏心固定された駆動ローター２４が回転することにより、第１透明基板１０は、図１に示す横方向９に沿って移動可能とされている。
【０１２５】
ここで、第１透明基板１０に、その移動方向に長い長円形状のベアリング受け部２５を設けることにより、第１透明基板１０を安定して移動させることが可能となる。また、第１透明基板１０の移動方向に沿った両端面を支持するためのベアリング２６を設けることにより、第１透明基板１０の移動をさらに安定にすることが可能となる。
【０１２６】
ここで、本発明の太陽電池パネルは、シリンドリカル状集光曲面群４の縦方向８が東西方向に一致するように配置されているので、１日の間に、シリンドリカル状集光曲面群４と直線スリット状光透過孔群６とを相対的に移動させる必要は無い。しかし、シリンドリカル状集光曲面群４により集光される光が、全ての季節において、直線スリット状光透過孔群６に集光されるためには、１日に１回程度、若しくは、１週間に１回程度、若しくは、１ヶ月に１回程度、シリンドリカル状集光曲面群４と直線スリット状光透過孔群６とを相対的に南北方向に移動させることが必要である。
【０１２７】
シリンドリカル状集光曲面群４と直線スリット状光透過孔群６との相対移動を１日に１回行う場合、１日あたりの太陽光の入射角Ｒの変化は、０．２６°と小さなものとなる。従って、１日あたり、シリンドリカル状集光曲面群４と直線スリット状光透過孔群６とを、約０．０７ｍｍ程度相対移動させることにより、日々直線スリット状光透過孔群６への最適な集光状態が得られることになる。しかし、この場合、約０．０７ｍｍの相対移動を行うことが可能な精密な駆動システムが必要となり、太陽電池パネルのコスト上昇につながる。
【０１２８】
次に、シリンドリカル状集光曲面群４と直線スリット状光透過孔群６との相対移動を１ヶ月に１回行う場合、１ヶ月あたりの太陽光の入射角Ｒの変化は、７．６７°となる。従って、１ヶ月ごとに、シリンドリカル状集光曲面群４と直線スリット状光透過孔群６とを、約２．０ｍｍ程度相対移動させることが必要となる。この場合、１ヶ月ごとに、直線スリット状光透過孔群６への最適な集光状態が得られるが、相対移動を行う前日には、入射光７の集光位置が約２．０ｍｍ程度ずれており、直線スリット状光透過孔群６の幅を適度に広く形成することが必要となる。以上のことより、この場合、相対移動を行うための精密な駆動システムは不要であるが、発電効率の低下をまねくことになる。
【０１２９】
従って、シリンドリカル状集光曲面群４と直線スリット状光透過孔群６との相対移動は、１週間に１回程度行われることが望ましい。この場合、１週間あたりの太陽光の入射角Ｒの変化は、１．７９°となり、１週間ごとに、シリンドリカル状集光曲面群４と直線スリット状光透過孔群６とを、約０．５ｍｍ程度相対移動させることにより、１週間ごとに、最適な集光状態が得られる。１週間での集光位置の移動が、約０．５ｍｍ程度と小さいことにより、幅の狭い直線スリット状光透過孔群６を用いた場合においても、発電効率は変化しない。さらに、１週間ごとに、約０．５ｍｍ程度相対移動させれば良く、精密な駆動システムが不要となり、太陽電池パネルの低コスト化を実現することができる。
【０１３０】
図８及び図９に示す太陽電池パネルにおける相対移動の制御方法について、図１０に示すブロック図を用いて説明すれば、以下のとおりである。
【０１３１】
まず、ＲＯＭ（ｒｅａｄ　ｏｎｌｙ　ｍｅｍｏｒｙ）等の記憶手段を有する月日指定部２７から、現在の日付とそれに対応した相対位置情報（例えば、回転駆動モータ２３の停止位置情報）等のＲＯＭ情報が、制御部２８に送られる。次に、該ＲＯＭ情報に基づき、制御部２８から、回転駆動モータ２３に対する駆動信号が生成されて、モータ駆動部２９へ送られ、その結果、回転駆動モータ２３が必要量回転する。
【０１３２】
これにより、日付に対応して、シリンドリカル状集光曲面群４と直線スリット状光透過孔群６との相対位置が最適となる位置に、第１透明基板１０が固定される。太陽電池パネル３０からは、日々刻々の発電量に関する情報が制御部２８に送られ、制御部２８からの指示に基づき、発電量等の情報が状況表示部３１に送られ、視覚可能な形態で出力される。
【０１３３】
ここでは、日付に対応して、シリンドリカル状集光曲面群４と直線スリット状光透過孔群６との相対位置を制御するシステムについて説明したが、太陽の南中高度は、日々大きく変化するものではないため、１週間に一度、若しくは、１ヶ月に一度、相対位置を最適化するシステムとすることも可能である。
【０１３４】
さらに、太陽電池パネルにおいて、シリンドリカル状集光曲面群４と直線スリット状光透過孔群６との相対位置を検出し、検出された相対位置と、日付に基づく最適相対位置とを、制御部２８において比較し、太陽電池パネルの異常検出を行うシステムを構築することにより、太陽電池パネルの異常に対する早期メンテナンスを実施することが可能となる。
【０１３５】
さらに、上記ＲＯＭ等の記憶手段に、日付に対応した発電量の期待値に関する情報を記憶しておき、日々得られる上記発電量の実測値に関する情報と比較し、該実測値が該期待値を所定量下回った場合、異常警告を発する異常検出システムを構築することによっても、太陽電池パネルの異常に対する早期メンテナンスを実施することが可能となる。
【０１３６】
また、上記発電量の実測値が最大となるように、シリンドリカル状集光曲面群４と直線スリット状光透過孔群６との相対位置を制御することにより、常に最大の発電量を得ることが可能な太陽電池パネルを実現することができる。
【０１３７】
上記実施例においては、集光素子３が固定され、第１透明基板１０（少なくとも直線スリット状光透過孔群６を有する光反射層５が形成された透明基板）を、集光素子３と太陽電池素子１７との間で移動させる構成の太陽電池パネルについて説明したが、第１透明基板１０が固定され、集光素子３を移動する構成とすることも可能である。但し、太陽電池パネル内部への雨水や湿気の侵入を防ぐためには、集光素子３を固定した構造にして、集光素子３と台座１８と固定支持部２１とで、太陽電池パネルが密閉される構成とすることが望ましい。
【０１３８】
ここで、実施例１の太陽電池パネルの発電効率と、比較例１の太陽電池パネルとして、上記太陽電池パネルの集光素子３と第１透明基板１０とを取り除いた太陽電池の発電効率を、光源として太陽光シミュレーターを用い、１００ｍＷ／ｃｍ２の光の入射角を変えて照射することにより調査した。
【０１３９】
【表１】
2004111453.tif 000003
【０１４０】
表１は、入射角Ｒが、−２３．４°、−２０°、−１０°、０°、１０°、２０°、２３．４°の場合において、太陽電池パネルの開放電圧Ｖと短絡電流Ｉとが最大となるように、直線スリット状光透過孔群６を有する第１透明基板１０を移動して、実施例１の太陽電池パネルの開放電圧Ｖと短絡電流Ｉを、比較例１の開放電圧Ｖと短絡電流Ｉを１００％として求めたものである。
【０１４１】
実施例１ａは、シリンドリカル状集光曲面群４と直線スリット状光透過孔群６との間隔を、シリンドリカル状集光曲面群の焦点距離Ｆと同じ２８ｍｍとした場合の開放電圧Ｖ及び短絡電流Ｉを示しており、実施例１ｂは、集光素子３の板厚を２６ｍｍから２０ｍｍに薄くし、シリンドリカル状集光曲面群４と直線スリット状光透過孔群６との間隔が、焦点距離Ｆよりも６ｍｍ小さい２２ｍｍとした場合の開放電圧Ｖと短絡電流Ｉを示している。
【０１４２】
実施例１ａと実施例１ｂの両方とも、開放電圧Ｖと短絡電流Ｉが１００％より大きくなっている。これは、太陽光の入射角Ｒが、−２３．４°以上２３．４°以下の範囲で変化しても、シリンドリカル状集光曲面群４により集光された太陽光が、直線スリット状光透過孔群６を通過し、光電変換層２と光反射層５との間での多重反射が実現することにより、発電効率が高くなっていることを示している。
【０１４３】
次に、実施例１ａと実施例１ｂとを比較すると、実施例１ａにおいては、入射角Ｒの絶対値が大きくなるにつれて、開放電圧Ｖと短絡電流Ｉとが相対的に小さくなっているのに対して、実施例１ｂにおいては、入射角Ｒに関係なく、相対的に大きな開放電圧Ｖと短絡電流Ｉとが得られていることがわかる。これは、実施例１ａにおいては、シリンドリカル状集光曲面群４と直線スリット状光透過孔群６との間隔を、シリンドリカル状集光曲面群の焦点距離Ｆと同じ２８ｍｍとしたため、入射角の傾きに伴うコマ収差の発生により、直線スリット状光透過孔群６への集光特性が劣化しているのに対して、実施例１ｂにおいては、シリンドリカル状集光曲面群４と直線スリット状光透過孔群６との間隔を、シリンドリカル状集光曲面群の焦点距離Ｆより短い２２ｍｍとすることにより、コマ収差の発生にもかかわらず、直線スリット状光透過孔群６への効率的な集光特性が実現していることによるものである。
【０１４４】
すなわち、本実施例から、シリンドリカル状集光曲面群４と直線スリット状光透過孔群６との間隔を、シリンドリカル状集光曲面群の焦点距離Ｆより小さくすることにより、直線スリット状光透過孔群６への一層効率的な集光特性が実現し、入射角Ｒに依存しない高い発電効率を得ることができることがわかる。
【０１４５】
次に、光入射側に光反射層５が形成された上記第１透明基板１０として、粒径５μｍのＹ２Ｏ２Ｓ：Ｅｕ，Ｍｇ，Ｔｉの蛍光粒子を、１５体積％含有させた第１透明基板１０を用いた太陽電池を作製した。この蛍光粒子は、光電変換に利用されない波長４００ｎｍ近傍の光を、光電変換に利用される波長６００ｎｍ近傍の光に変換する。このため、蛍光粒子から発生する波長６００ｎｍ近傍の光も、光反射層５と光電変換層２との間で多重反射することにより、太陽電池の発電効率をさらに高くすることが可能となる。
【０１４６】
蛍光粒子を含有しない第１透明基板１０を用いた太陽電池と、蛍光粒子を含有した第１透明基板１０を用いた太陽電池に対して、太陽光シミュレーターを用い、１００ｍＷ／ｃｍ２の光の入射角Ｒを変えて照射して、両者の開放電圧Ｖと短絡電流Ｉを比較した結果、蛍光粒子を含有した第１透明基板１０を用いることにより、全ての入射角Ｒにおいて、開放電圧Ｖが５〜８％大きくなり、短絡電流Ｉが１３〜１５％大きくなることが確認された。
【０１４７】
〔実施例２〕
次に、本発明の実施例２として、図１１に示す構成の太陽電池を作製した。図１及び図２に示す太陽電池においては、集光素子３と光電変換層２が形成された基板１とが固定配置され、光反射層５と直線スリット状光透過孔群６を有する第１透明基板１０が移動可能とされていたが、本実施例においては、光電変換層２が形成された基板１と第１透明基板１０とを、透明接着剤３２により接着し、発電構造体３３（図１２参照）を構成し、該発電構造体３３と集光素子３とを相対的に移動させることにより、集光素子３に対して斜めから入射した太陽光を、直線スリット状光透過孔群６へと、効率良く集光する構成となっている。
【０１４８】
この場合、図１２に示すように、図８と同様な構造を用いて、発電構造体３３と集光素子３とを相対的に移動させることにより、発電効率の高い太陽電池パネルを形成することができる。実施例２の太陽電池パネルは、実施例１の太陽電池パネルと比べて、光電変換層２が形成された基板１が固定されているか、移動しているかの違いが存在するが、その集光特性は同一であり、実施例１において示した表１と全く同様な発電効率の増大が確認された。
【０１４９】
ここで、図１２に示す構成においては、移動体である発電構造体３３から発電された電力を取り出すことが必要であるが、図５からわかるように、１年間の移動距離は、±１０ｍｍ程度の範囲内であり、可撓性を有する導電性金属板を用いることにより、安定した電力の取り出しを行うことができる。また、図８に示す実施例１の太陽電池パネルにおいては、光電変換層２を有する基板１と透明第１基板１０とが独立しており、破損を防ぐために、それぞれに強度を持たせることが必要であった。
【０１５０】
しかし、図１１および図１２に示すように、あらかじめ、光電変換層２を有する基板１と第１透明基板１０とを接着固定し発電構造体３３として、太陽電池パネルを組み立てることにより、接着固定された発電構造体３３の強度が増大される。従って、基板１および第１透明基板１０を薄くしても、発電構造体３３としての強度が大きくなり、太陽電池パネルを薄くすることが可能となる。
【０１５１】
次に、実施例２の第１透明基板１０として、実施例１と同じく、粒径５μｍのＹ２Ｏ２Ｓ：Ｅｕ，Ｍｇ，Ｔｉの蛍光粒子を、１５体積％含有させた第１透明基板を用いた太陽電池を作製した。実施例１と同様にして、蛍光特性を有する第１透明基板１０を用いた実施例２の太陽電池パネルの発電効率の調査を行った結果、実施例２においても、蛍光特性を有する第１透明基板１０を用いることにより、全ての入射角において、開放電圧Ｖが５〜８％大きくなり、短絡電流Ｉが１３〜１５％大きくなることが確認された。
【０１５２】
次に、実施例２の透明接着剤３２として、粒径５μｍのＹ２Ｏ２Ｓ：Ｅｕ，Ｍｇ，Ｔｉの蛍光粒子を１５体積％含有させた紫外線硬化樹脂を用いて、集光素子３と太陽電池素子とを接着固定した太陽電池を作成した。該透明接着剤層の厚さは、０．２ｍｍであった。この蛍光粒子が、光反射層５と光電変換層２との間に導入されたけれども、光電変換に利用されない波長４００ｎｍ近傍の光を、光電変換に利用される波長６００ｎｍ近傍の光に変換する。従って、さらに、蛍光粒子から発生する波長６００ｎｍ近傍の光が、光反射層５と光電変換層２との間で多重反射することにより、太陽電池の発電効率をさらに高くすることが可能となる。
【０１５３】
蛍光粒子を含有しない紫外線硬化樹脂を用いた太陽電池パネルと、蛍光粒子を含有した紫外線硬化樹脂を用いた太陽電池パネルとに対して、実施例１と同様にして、発電効率の調査を行った結果、蛍光粒子を含有した紫外線硬化樹脂を用いた太陽電池パネルにおいて、全ての入射角において、開放電圧Ｖが５〜８％大きくなり、短絡電流Ｉが１０〜１１％大きくなることが確認された。
【０１５４】
ここで、第１透明基板１０に蛍光粒子を含有させた場合と、透明接着剤３２に蛍光粒子を含有させた場合とを比較すると、第１透明基板１０に蛍光粒子を含有させた場合に、より大きな短絡電流が得られていることがわかる。この結果は、第１透明基板１０の板厚が１０ｍｍであるのに対して、透明接着剤３２の層厚が０．２ｍｍと薄いため、含有される蛍光粒子の量が異なることに起因している。
【０１５５】
しかし、いずれの場合も、蛍光粒子の含有量を増やすことにより、より大きな短絡電流を得ることが可能である。さらに、第１透明基板１０と透明接着剤３２の両方に蛍光粒子を含有させることによっても、より大きな短絡電流を得ることが可能である。
【０１５６】
実施例１および実施例２に記載の太陽電池においては、ステンレス製の基板１上に、電極金属層１１、多結晶Ｓｉ半導体層１２、多結晶Ｓｉ半導体層１３、多結晶Ｓｉ半導体層１４、くし型集電電極１５、導電性透明膜１６を形成した多結晶Ｓｉ太陽電池を用いたが、これに限られるものではない。光電変換層２として、非晶質Ｓｉ半導体層を用いることも可能であり、また、さらに発電効率を上げるため、多結晶Ｓｉ半導体で構成したｐｎ接合と、非晶質Ｓｉ半導体で構成したｐｉｎ接合とを積層したタンデム構造太陽電池素子を用いることも可能である。
【０１５７】
また、他に、単結晶Ｓｉ太陽電池や、ＣｕＩｎＳｅ２、Ｃｕ（Ｉｎ，Ｇａ）（Ｓ，Ｓｅ）２、ＣｕＧａＳｅ２などのＣＩＳ系太陽電池等に用いられている光電変換層を用いることも可能である。
【０１５８】
また、実施例１および実施例２に記載の太陽電池においては、集光素子３として射出成形法により作製したポリカーボネート製の集光素子３を用いたが、これに限られるものではない。その他の樹脂材料として、スチレン系透明樹脂、オレフィン系透明樹脂、エチレン系透明樹脂、アクリル系透明樹脂等を用いることが可能であり、また、作製方法も射出成形法に限られるものでなく、キャスティング法や熱間成形法等を用いることが可能である。さらに、モールド法やロール成形法により作製したガラス製の集光素子３を用いることも可能である。集光素子をガラス製とすることにより、耐環境性が著しく改善され、長期使用に対しても安定して高い発電効率を維持することが可能である。
【０１５９】
また、実施例１および実施例２に記載の太陽電池においては、蛍光粒子として、粒径５μｍのＹ２Ｏ２Ｓ：Ｅｕ，Ｍｇ，Ｔｉの蛍光粒子を用いたが、これに限られるものではない。
【０１６０】
例えば、蛍光粒子として、粒径２〜２０μｍのＹ２Ｏ２Ｓ：Ｅｕ，Ｍｇ，Ｔｉの蛍光粒子を使用することにより、２００〜４５０ｎｍの波長の光を吸収し、６２５ｎｍの波長の光を放射させることが可能である。また、Ｅｒ３＋イオンを含有した酸化フッ化物系結晶化ガラスを用いることにより、８００ｎｍ近傍の波長の光を吸収し、５５０〜６６０ｎｍの波長の光を放射させることが可能である。
【０１６１】
これら以外の蛍光材料として、酸化ストロンチウムと酸化アルミニウムからなる化合物に希土類元素のユウロピウム（Ｅｕ）とジスプロシウム（Ｄｙ）を添加したＳｒＡｌ２Ｏ４：Ｅｕ，Ｄｙや、Ｓｒ４Ａｌ１４Ｏ２５：Ｅｕ，Ｄｙや、ＣａＡｌ２Ｏ４：Ｅｕ，Ｄｙや、ＺｎＳ：Ｃｕ等の蛍光材料を用いることも可能である。
【０１６２】
また、シアニン系色素、ピリジン系色素、ローダミン系色素等の有機色素を含有させることによっても、同様に、短波長の光を長波長の光に変換することが可能であり、発電効率を高くすることが可能である。
【０１６３】
さらに、これらの蛍光材料を任意の組み合わせで複数同時に用いることにより、より高い発電効率を得ることが可能である。
【０１６４】
また、実施例１及び実施例２の太陽電池においては、太陽光が、シリンドリカル状集光曲面群４により、直線スリット状光透過孔群６へと集光され、第１透明基板１０を透過して、光電変換層２と反射層５との間で、入射光が多重反射する構成であったが、直線スリット状光透過孔群６を有する第１透明基板１０を上下反転させ、太陽光が、シリンドリカル状集光曲面群４により集光され、第１透明基板１０を透過した後、直線スリット状光透過孔群６を通過し、光電変換層２と光反射層５との間で、入射光が多重反射する構成とすることも可能である。ただし、この場合、第１透明基板１０は、多重反射系の外に存在するため、蛍光特性を有する透明基板を用いても、発電効率改善の効果を得ることはできない。
【０１６５】
〔実施例３〕
本発明の実施例３として、図１３に示す構成の太陽電池を作製した。
【０１６６】
実施例３の太陽電池は、実施例１に記載のシリンドリカル状集光曲面群４を有する集光素子３と、太陽電池素子用透明基板３４の両面に、それぞれ、直線スリット状光透過孔群６を有する光反射層５、及び、光電変換層３５が形成された発電構造体とで構成されている。この場合、シリンドリカル状集光曲面群４から入射した光は、直線スリット状光透過孔群６に集光され、太陽電池素子用透明基板３４を透過し、光電変換層３５へと入射し、光電変換層３５からの反射光が、光反射層５により反射され、再度光電変換層３５へと再入射する。従って、光電変換層３５と光反射層５との間で、入射光が多重反射することにより、高い発電効率が実現する。
【０１６７】
実施例３の光電変換層３５は、図１４に示す構成であり、次のようにして作製した。
【０１６８】
板厚５ｍｍの太陽電池素子用透明ガラス基板３４上に、膜厚３０ｎｍのＳｎＯ２透明導電層３６を反応性スパッタリングにより形成した後、遮蔽マスクを基板３４上に形成した透明導電層３６表面に装着した状態で、ＡｌＴｉ合金ターゲットを用いたスパッタリングにより、膜厚１００ｎｍのＡｌ０．９５Ｔｉ０．０５合金からなる、幅０．１ｍｍ、間隔５ｍｍのくし型集電電極３７を形成した。
【０１６９】
次に、ｐ型不純物ドープ半導体層であるｐ層３８、真性半導体であるｉ層３９、ｎ型不純物ドープ層であるｎ層４０がこの順に積層された非晶質Ｓｉ半導体からなる光電変換層をプラズマＣＶＤ装置による気相成長法で形成した。各半導体層は、それぞれ、ＳｉＨ４ガス・Ｈ２ガス・ＣＨ４ガス・Ｂ２Ｈ６ガスの混合ガスを用いて気相成長した膜厚１５ｎｍのａ−ＳｉＣ：Ｈのｐ層３８、ＳｉＨ４ガス・Ｈ２ガスの混合ガスを用いて気相成長した膜厚１００ｎｍのａ−Ｓｉ：Ｈのｉ層３９、ＳｉＨ４ガス・Ｈ２ガス・ＰＨ３ガスの混合ガスを用いて気相成長した膜厚１５ｎｍのａ−Ｓｉ：Ｈのｎ層４０とした。
【０１７０】
上記光電変換層３５を形成した後、膜厚１００ｎｍのＡｌからなる光反射効果を有する電極金属層４１をスパッタリングにより形成し、紫外線硬化樹脂を電極金属層４１上に塗布し、電極金属層４１の保護膜とした。次に、上記太陽電池用素子用透明ガラス基板３４の光電変換層３５が設けられていない面に、直線スリット状光透過孔群６に対応する遮蔽マスクを取り付けた後、ＡｌＴｉ合金ターゲットを用いたスパッタリングにより、膜厚１００ｎｍのＡｌ０．９５Ｔｉ０．０５合金からなる光反射層５を形成して、図１３に示す発電構造体とした。
【０１７１】
上記発電構造体と集光素子３とを用いて、図１２と同じ構成の太陽電池パネルを作製し、実施例３の太陽電池パネルとした。また、上記実施例３の太陽電池用素子用透明ガラス基板３４と光電変換層３５のみからなる太陽電池パネルを比較例３の太陽電池パネルとした。実施例３及び比較例３の太陽電池パネルを実施例１と同様に、太陽光シミュレーターを用い、１００ｍＷ／ｃｍ２の光の入射角を変えて照射して、両者の開放電圧Ｖと短絡電流Ｉを測定した。
【０１７２】
【表２】
2004111453.tif 000004
【０１７３】
表２は、入射角Ｒが、−２３．４°、−２０°、−１０°、０°、１０°、２０°、２３．４°の場合において、太陽電池パネルの開放電圧Ｖと短絡電流Ｉとが最大となるように太陽電池素子を移動して、実施例３の太陽電池パネルの開放電圧Ｖと短絡電流Ｉとを、比較例３の開放電圧Ｖと短絡電流Ｉを１００％として求めたものである。
【０１７４】
実施例３ａは、シリンドリカル状集光曲面群４と直線スリット状光透過孔群６との間隔を、シリンドリカル状集光曲面群の焦点距離Ｆと同じ２８ｍｍとした場合の開放電圧Ｖ及び短絡電流Ｉを示しており、実施例３ｂは、シリンドリカル状集光曲面群４と直線スリット状光透過孔群６との間隔が、焦点距離Ｆよりも６ｍｍ小さい２２ｍｍとした場合の開放電圧Ｖと短絡電流Ｉを示している。
【０１７５】
実施例３ａと実施例３ｂの両方とも、開放電圧Ｖと短絡電流Ｉが１００％より大きくなっている。これは、シリンドリカル状集光曲面群４により集光された太陽光が、直線スリット状光透過孔群６を通過し、光電変換層３５と光反射層５との間での多重反射が実現することにより、発電効率が高くなっていることを示している。
【０１７６】
また、実施例１の場合と同様に、実施例３ｂにおいては、入射角Ｒの増大にともなうコマ収差の発生にもかかわらず、直線スリット状光透過孔群６への効率的な集光特性が実現し、入射角Ｒが±２３．４°の場合においても、入射角Ｒが０°の場合と同程度の開放電圧と短絡電流が得られていることがわかる。
【０１７７】
すなわち、実施例３においても、実施例１と同様に、シリンドリカル状集光曲面群４と直線スリット状光透過孔群６との間隔を、シリンドリカル状集光曲面群４の焦点距離Ｆより小さくすることにより、直線スリット状光透過孔群６への一層効率的な集光特性が実現し、入射角Ｒに依存しない高い発電効率を得ることができることがわかる。
【０１７８】
ここで、実施例１（表１）と実施例３（表２）とを比較すると、実施例１の場合、短絡電流Ｉが１４５％まで増大しているのに対して、実施例３の場合、短絡電流Ｉが１３０％程度までしか増大していないことがわかる。
【０１７９】
これは、実施例３において、太陽電池素子用透明基板３４の両面に光電変換層３５と、直線スリット状光透過孔群６を有する光反射層５とを設けたことにより、太陽電池素子用透明基板３４の一方の面に光電変換層３５を形成する際、光反射層５を形成すべき太陽電池素子用透明基板３４の他方の面における、傷発生や塵埃付着により、入射光の散乱反射と光反射層５の反射率低下が発生したことによるものである。
【０１８０】
従って、より高い発電効率を実現するためには、光電変換層２と光反射層５とを別々の基板上に形成する実施例１の構成や、別々に形成したあと接着剤で一体化する実施例２の構成が望ましい。しかしながら、実施例３の構成によれば、基板枚数を削減することができ、太陽電池パネルの低コスト化及び薄型化を実現することが可能である。
【０１８１】
実施例３においては、太陽電池用素子用透明ガラス基板３４上に、光電変換層３５を形成した後、光反射層５を形成した場合について説明したが、光反射層５を形成した後、光電変換層３５を形成することも可能である。しかしながら、光反射層５を形成した後、光電変換層３５を形成した場合、光反射層５の形成時に、光電変換層３５を形成する面に発生した傷や塵埃付着により、光電変換層３５自体の特性劣化が発生し、極端な発電効率低下につながるおそれがある。従って、実施例３において説明したように、光電変換層３５を形成した後、光反射層５を形成することが望ましい。
【０１８２】
次に、上記太陽電池素子用透明基板３４として、粒径５μｍのＹ２Ｏ２Ｓ：Ｅｕ，Ｍｇ，Ｔｉの蛍光粒子を、１５体積％含有させたガラス基板を用いた太陽電池を作製した。この蛍光粒子は、光電変換に利用されない波長４００ｎｍ近傍の光を、光電変換に利用される波長６００ｎｍ近傍の光に変換することが可能であり、さらに、蛍光粒子から発生する波長６００ｎｍ近傍の光が、集光素子３と太陽電池素子との間で多重反射することにより、太陽電池の発電効率を一層高くすることが可能となる。
【０１８３】
蛍光粒子を含有しない太陽電池素子用透明基板３４を用いた実施例３の太陽電池と、蛍光粒子を含有した太陽電池素子用透明基板３４を用いた実施例３の太陽電池に対して、太陽光シミュレーターを用い、１００ｍＷ／ｃｍ２の光の入射角を変えて照射して、両者の開放電圧Ｖと短絡電流Ｉを測定した結果、蛍光粒子を含有した太陽電池素子用透明基板３４を用いることにより、全ての入射角において、開放電圧Ｖが６〜９％大きくなり、短絡電流Ｉが１３〜１５％大きくなることが確認された。
【０１８４】
実施例３においては、光電変換を行うための半導体として、ｐ型不純物ドープ半導体層であるｐ層３８、真性半導体であるｉ層３９、ｎ型不純物ドープ層であるｎ層４０がこの順に積層された非晶質Ｓｉ半導体を用いた実施例について記載しているが、実施例１及び実施例２において記載した多結晶Ｓｉ半導体を用いることも可能である。
【０１８５】
ただし、多結晶Ｓｉ半導体を用いる場合、その形成順序を入れ替えることが望ましい。すなわち、透明導電層３６上に設けたくし型集電電極３７上に、ｐ型の不純物を高濃度にドーピングした多結晶Ｓｉ半導体層、ｎ型の不純物をわずかにドーピングした多結晶Ｓｉ半導体層、ｎ型の不純物を高濃度にドーピングした多結晶Ｓｉ半導体層を順次形成した構成とすることが望ましい。
【０１８６】
また、同様に、実施例１及び実施例２において、実施例３に記載した非晶質Ｓｉ半導体を用いることも可能である。
【０１８７】
〔実施例４〕
実施例３の太陽電池においては、太陽電池素子用透明基板３４の両面に、光電変換層３５と光反射層５とをそれぞれ設けた構成としたが、実施例４の太陽電池は、図１５に示すように、太陽電池素子用透明基板３４に対しては、光電変換層３５のみを設け、実施例１と同様な第１透明基板１０を、集光素子３と太陽電池素子用透明基板３４との間に、移動可能に設けた構成である。
【０１８８】
実施例３においては、太陽電池素子用透明基板３４の両面に、光電変換層３５と、直線スリット状光透過孔群６を有する光反射層５とを設けたことにより、太陽電池素子用透明基板３４の一方の面に光電変換層３５を形成する際、光反射層５を形成すべき太陽電池素子用透明基板３４の他方の面における、傷発生や塵埃付着により、入射光の散乱反射と光反射層５の反射率低下が発生することにより、発電効率が低下するという問題があったが、実施例４に示すように、光電変換層３５と光反射層５とを、別々の基板上に形成することにより、上記問題が解消され、実施例１と同程度（１４５％）の短絡電流Ｉの増大を実現することができた。
【０１８９】
この場合、入射光７は、シリンドリカル状集光曲面群４により、直線スリット状光透過孔群６に集光され、第１透明基板１０と太陽電池素子用透明基板３４とを透過して、光電変換層３５と光反射層５との間で、入射光が多重反射することになる。従って、第１透明基板１０または太陽電池素子用透明基板３４として、実施例１と同様な蛍光特性を有する透明基板を用いることにより、発電効率を一層高めることが可能となる。
【０１９０】
実施例１においては、光電変換層２と光反射層５との間に存在する第１透明基板１０のみを蛍光特性を有する透明基板とすることにより、発電効率を高めることができた。これに対して、本実施例においては、光電変換層３５と光反射層５との間に、第１透明基板１０と太陽電池用透明基板３４とが存在しており、その両方の基板として、蛍光特性を有する透明基板を用いることが可能である。従って、第１透明基板１０と太陽電池用透明基板３４との両方で光電変換に寄与する波長の光を蛍光として発生させることが可能となり、実施例１と比較して、さらに発電効率を高めることが可能となる。
【０１９１】
また、図１５に示す構成で、直線スリット状光透過孔群６を有する第１透明基板１０を上下反転させ、太陽光が、シリンドリカル状集光曲面群４により集光され、第１透明基板１０を透過した後、直線スリット状光透過孔群６を通過し、太陽電池素子用透明基板３４を透過した後、光電変換層３５と光反射層５との間で、入射光が多重反射する構成とすることも可能である。この場合、第１透明基板１０は、多重反射系の外に存在するため、第１透明基板１０をとして蛍光特性を有する透明基板を用いても、発電効率を向上させることはできない。しかし、太陽電池素子用透明基板３４として蛍光特性を有する透明基板を用いることにより、発電効率が向上する。
【０１９２】
次に、図１６に示すように、光電変換層３５を有する太陽電池素子用透明基板３４と、光反射層５を有する第１透明基板１０とを、透明接着剤４２により接着した構成とし、第１透明基板１０と光電変換層３５を有する太陽電池素子用透明基板３４とを一体的に移動させることにより、シリンドリカル状集光曲面群４と直線スリット状光透過孔群６とを相対的に移動させることも可能である。
【０１９３】
この場合、第１透明基板１０と光電変換層３５を有する太陽電池素子用透明基板３４とが接着固定されることにより、機械的強度が高くなり、図１５に示す太陽電池パネルに比較して、第１透明基板１０と太陽電池素子用透明基板３４の基板厚を薄くすることが可能となり、太陽電池パネルを薄型化できる。
【０１９４】
また、第１透明基板１０または太陽電池素子用透明基板３４として、実施例１と同様な蛍光特性を有する透明基板を用いることにより、発電効率を高めることが可能となる。
【０１９５】
さらに、図１５の場合と同様に、第１透明基板１０と太陽電池素子用透明基板３４との両方の基板として、蛍光特性を有する透明基板を用いることにより、第１透明基板１０と太陽電池用透明基板３４との両方で光電変換に寄与する波長の光を蛍光として発生させることが可能となり、さらに発電効率を高めることが可能となる。
【０１９６】
また、実施例２と同様に、透明接着剤４２に蛍光粒子を含有させ、蛍光特性を持たせた透明接着剤４２を用いることによっても、発電効率を高めることが可能となる。さらに、第１透明基板１０と太陽電池素子用透明基板３４との両方の基板として、蛍光特性を有する透明基板を用い、かつ、蛍光特性を持たせた透明接着剤４２を用いることにより、一層高い発電効率を得ることが可能である。
【０１９７】
本発明に係る太陽電池は、図１、図１１、図１５及び図１６に示すように、上記集光曲面群が設けられた集光素子と、上記光電変換層を有する太陽電池素子との間に、第１透明基板が移動可能に設けられており、該第１透明基板上に上記光透過孔群を有する上記光反射層が設けられていることを特徴としている。
【０１９８】
上記の構成により、上記集光素子と上記第１透明基板と上記太陽電池素子とを、それぞれ、独立して形成することが可能であり、製造プロセスにおいて発生する傷等の損傷が抑制され、高い発電効率を有する太陽電池を安定して製造することができる。
【０１９９】
また、本発明に係る太陽電池は、上記の構成に加えて、上記第１透明基板と上記太陽電池素子とが、透明接着剤により固定されていることを特徴としている。
【０２００】
上記の構成により、上記の効果に加えて、上記第１透明基板と上記太陽電池素子とが、あらかじめ、接着固定されていることにより、上記第１透明基板および上記太陽電池素子の機械的強度が高められ、製造プロセスにおいて、破損等による歩留まり低下を抑制することが可能であるとともに、太陽電池の薄型化を実現することができる。
【０２０１】
また、本発明に係る太陽電池は、図１３に示すように、上記光電変換層が太陽電池素子用透明基板の一方の面に設けられており、上記太陽電池素子用透明基板の上記光電変換層に対向する面に、上記光透過孔群を有する上記光反射層が設けられていることを特徴としている。
【０２０２】
上記の構成により、上記太陽電池素子用透明基板上に、上記光電変換層と上記光反射層の両方を形成することが可能であり、必要最小限の基板枚数で、太陽電池を製造することが可能であり、太陽電池の低コスト化が実現するとともに、太陽電池の薄型化を実現することができる。
【０２０３】
また、本発明に係る太陽電池は、図１５及び図１６に示すように、上記集光素子と、上記太陽電池素子との間に第１透明基板が設けられており、該第１透明基板に、上記光透過孔群を有する上記光反射層が設けられており、上記光電変換層が太陽電池素子用透明基板上に設けられていることを特徴としている。
【０２０４】
上記の構成により、上記集光素子と上記第１透明基板と上記太陽電池素子とを、それぞれ、独立して形成することが可能であり、製造プロセスにおいて発生する傷等の損傷が抑制され、高い発電効率を有する太陽電池を安定して製造することができる。
【０２０５】
また、本発明に係る太陽電池は、上記の構成に加えて、上記第１透明基板と上記太陽電池素子とが、透明接着剤により固定されていることを特徴としている。
【０２０６】
上記の構成により、上記の効果に加えて、上記第１透明基板と上記太陽電池素子とが、あらかじめ、接着固定されていることにより、上記第１透明基板および上記太陽電池素子の機械的強度が高められ、製造プロセスにおいて、破損等による歩留まり低下を抑制することが可能である。
【０２０７】
また、本発明に係る太陽電池は、光反射層と光電変換層との間に、蛍光特性を有する透明基板が設けられていることを特徴としている。
【０２０８】
上記の構成により、光電変換に寄与する波長の光の光量が増大するので、太陽電池の発電効率を一層高くすることが可能となる。
【０２０９】
また、本発明に係る太陽電池は、上記光反射層と上記光電変換層との間の積層構造中に、蛍光特性を有する透明接着剤層が含まれていることを特徴としている。
【０２１０】
上記の構成において、光反射層と上記光電変換層との間には、透明接着剤層が介在する色々な態様の積層構造を含めることができる。例えば、集光素子の太陽電池素子側の面に光反射層を形成した集光素子を、透明接着剤層を介して太陽電池素子に接着固定してもよい。あるいは、集光素子と太陽電池素子との間隔を制御する透明基板を、透明接着剤層を介して集光素子と太陽電池素子との間に接着固定してもよい。あるいは、集光素子側の面に光反射層を形成した透明基板を、透明接着剤層を介して太陽電池素子に接着固定してもよい。
【０２１１】
上記のように、各種態様を取り得る積層構造中に、蛍光特性を有する透明接着剤層が介在することにより、太陽電池の発電効率を一層高めることができる。
【０２１２】
本発明は上述した各実施形態および実施例に限定されるものではなく、請求項に示した範囲で種々の変更が可能であり、異なる実施形態および実施例にそれぞれ開示された技術的手段を適宜組み合わせて得られる実施形態および実施例についても本発明の技術的範囲に含まれる。
【０２１３】
【発明の効果】
本発明によれば、集光領域から入射した光が、光透過孔に集光され、光電変換層を有する太陽電池素子へと入射し、太陽電池素子からの反射光が、光反射層により反射され、再度太陽電池素子へと再入射する。従って、入射光が、光反射層と太陽電池素子との間で多重反射することにより、太陽電池の発電効率を高くすることが可能となる。
【０２１４】
さらに、集光領域と光透過孔とを相対的に移動可能に支持し、太陽光の入射角度に対応して、集光領域により集光された太陽光が、常に、光透過孔へと集光されるように、集光領域と光透過孔の位置を制御することにより、地軸の傾きに伴う太陽光入射角度の変化が発生するような場合においても、高い変換効率を維持することが可能な太陽電池を実現することが可能となる。
【０２１５】
また、本発明において、透明基板及び透明接着剤として、蛍光特性を有する透明基板及び透明接着剤を用いることにより、光電変換層において光電変換に使用できない波長の光を、光電変換に使用できる波長の光に変換することができるので、太陽電池の発電効率をさらに高くすることが可能となる。
【図面の簡単な説明】
【図１】本発明の太陽電池の模式的な断面斜視図である。
【図２】本発明の太陽電池において、横方向斜め上から入射する光の集光位置と、光透過孔群の位置との関係を示す模式的な断面斜視図である。
【図３】本発明の太陽電池の設置方法を説明する図面である。
【図４】本発明の太陽電池において、縦方向斜め上から入射する光の集光位置と、光透過孔群の位置との関係を示す模式的な断面斜視図である。
【図５】（ａ）〜（ｃ）は、本発明の太陽電池の集光状態を、入射角度を変えて計算した結果を示す説明図である。
【図６】（ａ）〜（ｃ）は、本発明の太陽電池において、光透過孔群を集光曲面群に近づけた場合の集光状態を、入射角度を変えて計算した結果を示す説明図である。
【図７】本発明の太陽電池素子の模式的な断面図である。
【図８】本発明の太陽電池パネルの要部断面図である。
【図９】本発明の太陽電池パネルの概略的平面図である。
【図１０】本発明の太陽電池パネルにおいて、集光素子と該光透過孔群との相対位置を制御する制御システムの構成を示すブロック図である。
【図１１】本発明の太陽電池の別構成を示す模式的な断面斜視図である。
【図１２】本発明の太陽電池パネルの別構成を示す模式的な断面図である。
【図１３】本発明の太陽電池のさらに別構成を示す模式的な断面斜視図である。
【図１４】本発明の太陽電池素子の別構成を示す模式的な断面図である。
【図１５】本発明の太陽電池のさらに別構成を示す模式的な断面斜視図である。
【図１６】本発明の太陽電池のさらに別構成を示す模式的な断面斜視図である。
【図１７】従来の太陽電池の一例を示す模式的な断面図である。
【図１８】従来の太陽電池の他の例を示す模式的な断面図である。
【図１９】従来の太陽電池のさらに他の例を示す模式的な断面図である。
【図２０】本発明に関連する太陽電池の模式的な断面斜視図である。
【図２１】（ａ）（ｂ）は、本発明に関連する太陽電池の集光状態を、入射角度を変えて計算した結果を示す説明図である。
【符号の説明】
１　基板（太陽電池素子）
２　光電変換層（太陽電池素子）
３　集光素子
４　シリンドリカル状集光曲面群（集光領域の集まり）
５　光反射層
６　直線スリット状光透過孔群
７　入射光
８　縦方向
９　横方向
１０　第１透明基板
３２　透明接着剤
３３　発電構造体
３４　太陽電池素子用透明基板
３５　光電変換層
４２　透明接着剤
Ｆ　焦点距離
Ｑ　入射角度
Ｒ　入射角度
【図１】
2004111453.tif 000005
【図２】
2004111453.tif 000006
【図３】
2004111453.tif 000007
【図４】
2004111453.tif 000008
【図５】
2004111453.tif 000009
【図６】
2004111453.tif 000010
【図７】
2004111453.tif 000011
【図８】
2004111453.tif 000012
【図９】
2004111453.tif 000013
【図１０】
2004111453.tif 000014
【図１１】
2004111453.tif 000015
【図１２】
2004111453.tif 000016
【図１３】
2004111453.tif 000017
【図１４】
2004111453.tif 000018
【図１５】
2004111453.tif 000019
【図１６】
2004111453.tif 000020
【図１７】
2004111453.tif 000021
【図１８】
2004111453.tif 000022
【図１９】
2004111453.tif 000023
【図２０】
2004111453.tif 000024
【図２１】
2004111453.tif 000025